(57)【特許請求の範囲】
【請求項１】
ユーザ識別情報と書込予定データとを対応付けて格納する第１の記憶手段と、
前記ユーザ識別情報と端末装置識別情報とを対応付けて格納する第２の記憶手段と、
接続手段を介して接続され、前記端末装置識別情報によって識別される端末装置に、当該端末装置識別情報に対応する前記ユーザ識別情報と対応する前記書込予定データを書き込むデータ書込手段と、
前記接続手段を介して接続された前記端末装置に内蔵された蓄電池への充電を行なう充電手段と、
を備える情報処理装置であって、
前記第１の記憶手段は、前記ユーザ識別情報ごとに、前記書込予定データと、開始時刻と終了時刻とを含む時間情報とを対応付けて格納し、
前記データ書込手段は、外部から時間情報を取得し、該時間情報が示す時間内に前記開始時刻または前記終了時刻が含まれる前記時間情報と対応付けられた前記書込予定データを前記端末装置に書き込み、
前記充電手段は、前記データ書込手段が前記端末装置へ書き込む前記書込予定データと対応付けられた前記時間情報、または、外部から取得した前記時間情報に応じて、前記蓄電池へ充電する充電量を決定する、情報処理装置。
【請求項２】
接続手段を介して接続された前記端末装置から、前記端末装置識別情報を取得する端末装置情報取得手段を備え、
前記データ書込手段は、取得された前記端末装置識別情報と、前記第１の記憶手段から取得した前記ユーザ識別情報とを対応付けて、前記第２の記憶手段に格納する請求項１に記載の情報処理装置。
【請求項３】
前記端末装置情報取得手段は、前記接続手段を介して接続された前記端末装置に内蔵された蓄電池の充電量を取得し、
前記データ書込手段は、前記ユーザ識別情報と、前記第１の記憶手段に格納された当該ユーザ識別情報に対応づけられた前記時間情報の長さに応じて決定される充電量の蓄電池を内蔵する端末装置の前記端末情報識別情報と、を対応付ける請求項２に記載の情報処理装置。
【請求項４】
前記データ書込手段は、前記第１の記憶手段に格納された前記書込予定データを１つずつ順次に複数の前記端末装置の各々に書き込み、前記書込予定データの中に、複数の前記ユーザ識別情報と対応する同一の書込予定データが存在する場合、当該ユーザ識別情報の各々と対応付けられた前記端末装置の少なくとも２つの端末装置（端末装置群）への書き込み時間の少なくとも一部が重なるように前記同一の書込予定データを前記端末装置群に書き込む請求項１乃至３のいずれかに記載の情報処理装置。
【請求項５】
前記端末装置情報取得手段は、前記接続手段を介して接続された前記端末装置に内蔵された蓄電池の充電量を取得し、
前記データ書込手段は、前記蓄電池が所定充電量以上の前記端末装置と前記ユーザ識別情報とを対応付ける請求項２に記載の情報処理装置。
【請求項６】
前記データ書込手段は、前記接続手段を介して接続される、蓄電池と、当該蓄電池から給電され外部から入力されたデータを記憶する揮発性メモリと、前記揮発性メモリに記憶されたデータを表示する表示手段と、を含む端末装置に対して前記データの書き込みを行なう請求項１乃至５のいずれかに記載の情報処理装置。
【請求項７】
第１の記憶手段に、ユーザ識別情報と、書込予定データと、開始時刻と終了時刻とを含む時間情報とを対応付けて格納するステップと、
第２の記憶手段に、前記ユーザ識別情報と端末装置識別情報とを対応付けて格納するステップと、
外部から時間情報を取得し、接続手段を介して接続され、前記端末装置識別情報によって識別される端末装置に、当該端末装置識別情報と対応する前記ユーザ識別情報と対応する前記書込予定データであって、該時間情報が示す時間内に前記開始時刻または前記終了時刻が含まれる前記時間情報と対応付けられた前記書込予定データを書き込むデータ書込ステップと、
前記書込予定データと対応付けられた前記時間情報、または、外部から取得した前記時間情報に応じて、前記接続手段を介して接続された前記端末装置に内蔵された蓄電池へ充電する充電量を決定し、該充電量の充電を前記蓄電池へ行なう充電ステップを、
をコンピュータに実行させる情報処理プログラム。
【請求項８】
接続手段を介して接続された前記端末装置から、前記端末装置識別情報を取得する端末装置情報取得ステップと、
取得された前記端末装置識別情報と、前記第１の記憶手段から取得した前記ユーザ識別情報とを対応付けて、前記第２の記憶手段に格納する前記データ書込ステップとを、前記コンピュータに実行させる請求項７に記載の情報処理プログラム。
【請求項９】
前記接続手段を介して接続された前記端末装置に内蔵された蓄電池の充電量を取得する前記端末装置情報取得ステップと、
前記ユーザ識別情報と、前記第１の記憶手段に格納された当該ユーザ識別情報に対応づけられた前記時間情報の長さに応じて決定される充電量の蓄電池を内蔵する端末装置の前記端末情報識別情報と、を対応付ける前記データ書込ステップと、を前記コンピュータに実行させる請求項８に記載の情報処理プログラム。
【請求項１０】
前記第１の記憶手段に格納された前記書込予定データを１つずつ順次に複数の前記端末装置の各々に書き込み、前記書込予定データの中に、複数の前記ユーザ識別情報と対応する同一の書込予定データが存在する場合、当該ユーザ識別情報の各々と対応付けられた前記端末装置の少なくとも２つの端末装置（端末装置群）への書き込み時間の少なくとも一部が重なるように前記同一の書込予定データを前記端末装置群に書き込む前記データ書込ステップを、前記コンピュータに実行させる請求項７乃至９のいずれかに記載の情報処理プログラム。
【請求項１１】
前記接続手段を介して接続された前記端末装置に内蔵された蓄電池の充電量を取得する前記端末装置情報取得ステップと、
前記蓄電池が所定充電量以上の前記端末装置と前記ユーザ識別情報とを対応付ける前記データ書込ステップと、を前記コンピュータに実行させる請求項８に記載の情報処理プログラム。
【請求項１２】
前記接続手段を介して接続される、 蓄電池と、当該蓄電池から給電され外部から入力されたデータを記憶する揮発性メモリと、前記揮発性メモリに記憶されたデータを表示する表示手段と、を含む端末装置に対して前記データの書き込みを行なう前記データ書込ステップを、前記コンピュータに実行させる請求項７乃至１１のいずれかに記載の情報処理プログラム。
【請求項１３】
第１の記憶手段に、ユーザ識別情報と、書込予定データと、開始時刻と終了時刻とを含む時間情報とを対応付けて格納し、
第２の記憶手段に、前記ユーザ識別情報と端末装置識別情報とを対応付けて格納し、
外部から時間情報を取得し、接続手段を介して接続され、前記端末装置識別情報によって識別される端末装置に、当該端末装置識別情報と対応する前記ユーザ識別情報と対応する前記書込予定データであって、該時間情報が示す時間内に前記開始時刻または前記終了時刻が含まれる前記時間情報と対応付けられた前記書込予定データを書き込み、
前記書込予定データと対応付けられた前記時間情報、または、外部から取得した前記時間情報に応じて、前記接続手段を介して接続された前記端末装置に内蔵された蓄電池へ充電する充電量を決定し、該充電量の充電を前記蓄電池へ行なう、情報処理方法。
【請求項１４】
接続手段を介して接続された前記端末装置から、前記端末装置識別情報を取得し、
前記取得された前記端末装置識別情報と、前記第１の記憶手段から取得した前記ユーザ識別情報とを対応付けて、前記第２の記憶手段に格納する請求項１３に記載の情報処理方法。
【請求項１５】
前記接続手段を介して接続された前記端末装置に内蔵された蓄電池の充電量を取得し、
前記ユーザ識別情報と、前記第１の記憶手段に格納された当該ユーザ識別情報に対応づけられた前記時間情報の長さに応じて決定される充電量の蓄電池を内蔵する端末装置の前記端末情報識別情報と、を対応付ける請求項１４に記載の情報処理方法。
【請求項１６】
前記第１の記憶手段に格納された前記書込予定データを１つずつ順次に複数の前記端末装置の各々に書き込み、前記書込予定データの中に、複数の前記ユーザ識別情報と対応する同一の書込予定データが存在する場合、当該ユーザ識別情報の各々と対応付けられた前記端末装置の少なくとも２つの端末装置（端末装置群）への書き込み時間の少なくとも一部が重なるように前記同一の書込予定データを前記端末装置群に書き込む請求項１３乃至１５の何れかに記載の情報処理方法。
【請求項１７】
前記接続手段を介して接続された前記端末装置に内蔵された蓄電池の充電量を取得し、
前記蓄電池が所定充電量以上の前記端末装置と前記ユーザ識別情報とを対応付ける請求項１４に記載の情報処理方法。
【請求項１８】
前記接続手段を介して接続される、蓄電池と、当該蓄電池から給電され外部から入力されたデータを記憶する揮発性メモリと、前記揮発性メモリに記憶されたデータを表示する表示手段と、を含む端末装置に対して前記データの書き込みを行なう請求項１３乃至１７のいずれかに記載の情報処理方法。 
【発明の詳細な説明】
【技術分野】
【０００１】
本発明は情報処理装置、情報処理システム、方法、プログラムに関する。
【背景技術】
【０００２】
会議等において、会議のアジェンダやプレゼンテーション等の内容が印刷された紙が資料として利用されることが多い。しかし、印刷された紙資料は会議終了後には廃棄されることが多く、一時的に利用されることが多いため、環境面から好ましいとはいえない。
【０００３】
そこで、紙の代わりに繰り返し使用可能な電子ペーパーを利用することが提案されている。例えば、特許文献１には、電子ペーパーとそれに画像形成する画像形成装置とを含む画像形成システムが開示されている。
【０００４】
また、特許文献２には、電子ペーパーに関する記載はないが、スケジュールデータベースに格納された情報を利用して、会議等のイベント開催前に必要なファイルを印刷する印刷システムが提案されている。具体的には、通信回線網に接続された、個人毎のスケジュールデータベースとスケジュール管理ソフトウエアを備えるコンピュータと、複数のプリンタと、選択されたプリンタに対してファイルを出力するプリンタサーバとを備えるシステムが提案されている。そして、該コンピュータは、スケジュールデータベースを参照して、イベントの発生する時刻前にファイルの印刷が終了するようにスケジュール管理ソフトウエアに通知を行う。スケジュール管理ソフトウエアは、イベントに使用するファイル名をプリンタサーバに出力する。プリンタサーバは、ファイル及びファイルが必要になる場所をスケジュールデータベースから受信し、ファイルが必要になる場所に対応して選択されたプリンタに出力する。
【先行技術文献】
【特許文献】
【０００５】
【特許文献１】特開２０１１−６４７３３号公報
【特許文献２】特開２００７−１７２４６２号公報
【発明の概要】
【発明が解決しようとする課題】
【０００６】
しかし、ユーザ等が上記システムを使用しても、会議が複数ある場合等にはその分だけ印刷する紙の量や電子ペーパー等の数が多くなってしまう。そのため、ユーザ等は資料の持ち運びや、資料の一部紛失等を発生させないための資料管理等に気を使うため、ユーザ等にとって上記システムは利便性が高くないという問題があった。
【０００７】
そこで、本発明は上記課題を解決すべく、ユーザ等の利便性を高めることのできる情報処理装置、情報処理システムを提供することを目的とする。
【課題を解決するための手段】
【０００８】
かかる目的を達成するため、本発明の一形態は、情報処理装置であって、ユーザ識別情報と書込予定データとを対応付けて格納する第１の記憶手段と、前記ユーザ識別情報と端末装置識別情報とを対応付けて格納する第２の記憶手段と、接続手段を介して接続され、前記端末装置識別情報によって識別される端末装置に、前記ユーザ識別情報と対応する前記書込予定データを書き込むデータ書込手段と、を備える。
【０００９】
また、本発明は、第１の記憶手段に、ユーザ識別情報と書込予定データとを対応付けて格納するステップと、第２の記憶手段に、前記ユーザ識別情報と端末装置識別情報とを対応付けて格納するステップと、接続手段を介して接続され、前記端末装置識別情報によって識別される端末装置に、前記ユーザ識別情報と対応する前記書込予定データを書き込むデータ書込ステップと、をコンピュータに実行させる情報処理プログラムを提供する。
【００１０】
また、本発明は、第１の記憶手段に、ユーザ識別情報と書込予定データとを対応付けて格納し、第２の記憶手段に、前記ユーザ識別情報と端末装置識別情報とを対応付けて格納し、接続手段を介して接続され、前記端末装置識別情報によって識別される端末装置に、前記ユーザ識別情報と対応する前記書込予定データを書き込む情報処理方法を提供する。
【発明の効果】
【００１１】
本発明は、ユーザ等の利便性を高めることのできる情報処理装置、情報処理システム、方法、プログラムを提供する。
【図面の簡単な説明】
【００１２】
【図１】端末装置１の一例を示す図である。
【図２】情報処理装置２の一例を示す図である。
【図３】端末装置ストック部２１の一例を説明する図である。
【図４】情報処理システム４の一例を示す図である。
【図５】ユーザ情報テーブルの一例を示す図である。
【図６】端末装置・ユーザ対応テーブルの一例を示す図である。
【図７】本発明の第１の実施形態の動作の一例を示す図である。
【図８】データの書込みの様子の一例を示す図である。
【図９】スケジュールテーブルの一例を示す図である。
【図１０】イベント情報テーブルの一例を示す図である。
【図１１】時間・充電量対応テーブルの一例を示す図である。
【図１２】本発明の第３の実施の形態の動作の一例を示す図である。
【図１３】端末装置・充電量対応テーブルの一例を示す図である。
【図１４】本発明の第４の実施の形態の動作の一例を示す図である。
【図１５】情報処理装置２の一例を示す図である。
【図１６】接続手段の一例を説明する図である。
【発明を実施するための形態】
【００１３】
以下、本発明の実施の形態について、図面を用いて説明する。すべての図面において、同様な構成要素には同様の符号を付し、適宜説明を省略する。
【００１４】
なお、各実施形態の装置等を構成する各部は、論理回路等のハードウェアで構成される。また、各部は、制御部、メモリ、メモリにロードされたプログラム、プログラムを格納するハードディスク等の記憶ユニット、ネットワーク接続用インターフェースなどからなり、ハードウェアとソフトウェアの任意の組合せによって実現されてもよい。そして特に断りのない限り、その実現方法、装置は限定されない。
【００１５】
また、制御部はＣＰＵ（Central Processing Unit）などからなり、オペレーティングシステムを動作させて装置等の全体を制御するとともに、例えばドライブ装置などに装着された記録媒体からメモリにプログラムやデータを読み出し、これに従って各種の処理を実行する。記録媒体は、例えば光ディスク、フレキシブルディスク、磁気光ディスク、外付けハードディスク、半導体メモリ等であって、コンピュータプログラムをコンピュータが読み取り可能に記録する。また、コンピュータプログラムは、通信網に接続されている図示しない外部コンピュータからダウンロードされても良い。
【００１６】
＜実施形態１＞
次に、本発明の第１の実施形態について図面を参照して説明する。
【００１７】
まず、端末装置１について説明する。図１には、端末装置１が示されている。端末装置１は、バッテリ１１、メモリ１２、制御部１３、表示部１４を含む。
【００１８】
バッテリ（battery）１１は、１または複数の電池である。電池は、いわゆる蓄電池（二次電池、充電式電池とも呼ばれ、充電が行なわれることにより繰り返し使用することが可能な電池）や乾電池（一次電池とも呼ばれ、電力の放電のみが可能な電池）である。バッテリ１１が蓄電池である場合、バッテリ１１は有機ラジカル電池であっても良い。以下では、バッテリ１１が蓄電池であることを前提として説明する。バッテリ１１には、後述する情報処理装置２の端末装置ストック部２１を介して充電が行われる。
【００１９】
メモリ１２は、１または複数の揮発性メモリ、あるいは、不揮発性メモリである。メモリ１２には、制御部１３を介して、外部から入力されたデータが格納される。メモリ１２が揮発性メモリである場合、端末装置１において、メモリ１２に給電する手段はバッテリ１１だけであり、他の手段は存在しないようにしても良い。このようにすれば、バッテリ１１に充電されている充電量分の給電がメモリ１２に行なわれると、その後の給電が絶たれるため、メモリ１２に記憶されたデータは消去される。また、この場合、端末装置１は揮発性メモリ以外に、前記データを記憶する不揮発性メモリを有しないようにしても良い。このようにすれば、バッテリ１１からの給電が絶たれれば、該データは端末装置１内から完全に消去される。
【００２０】
なお、端末装置１は、端末装置１の識別情報（端末装置識別情報）を格納する図示しない不揮発性メモリを備えている。これにより、端末装置１の識別情報は給電が絶たれた場合でも維持される。例えば、後述する情報処理装置２が、端末装置１のユーザを識別するユーザ識別情報と端末装置１の識別情報とを対応付けて管理することで、どのユーザがどの端末装置１を利用しているかを管理することが可能である。
【００２１】
また、上述の通り、バッテリ１１には、後述する情報処理装置２の端末装置ストック部２１を介して充電が行なわれるが、この際、あるいは、その前後に、端末装置ストック部２１を介してメモリ１２にデータの書込みが行なわれる。
【００２２】
表示部１４は、情報を表示することが可能な電子ペーパーやディスプレイ等の表示媒体である。表示部１４は、メモリ１２に格納されたデータを表示する機能を有する。表示部１４は、タッチパネル等であっても良く、ユーザが表示部１４上に専用ペンや指等を用いて書き込んだデータを、既に書き込まれたデータと重ね合わせて表示することが可能であっても良い。
【００２３】
制御部１３は、外部から入力されたデータをメモリ１２に書き込むための制御や、メモリ１２に書き込まれたデータを表示部１４に表示するための制御を行なう。また、制御部１３は、外部からの充電指示に従って、バッテリ１１の充電を開始する制御を行なっても良い。なお、端末装置１がさらにタイマを備え、あらかじめ設定された時間が経過すると、制御部１３が表示部１４へのデータの表示を停止させても良い。
【００２４】
端末装置１は、会議などで用いられるプレゼンテーションの内容等を印刷した紙資料の代わりに用いることができる。そのため、バッテリ１１の容量は、会議の時間分だけバッテリ１１がメモリ１２に給電できるような容量であっても良い。
【００２５】
なお、上述したのは端末装置１の一例であって、端末装置１は上述の構成に限定されるものではない。
【００２６】
次に、端末装置１への充電やデータ書き込み等の処理を行う情報処理装置２について説明する。情報処理装置２は、図４に示されるように、ＰＣ（Personal Computer）３等からデータを取得し、該データを端末装置１に書き込む機能を有する。情報処理装置２は、例えば、ＰＣ３からの印刷指示に応じて電子ペーパーに印刷を行なう印刷機を改良した複合機等であるが、複合機に限定されない。
【００２７】
情報処理装置２は、図２に示されるように、端末装置ストック部２１、充電部２２、データ変換部２３、データ書込部２４、データ読出部２５、端末装置情報取得部２６、記憶部２７、制御部２８、ユーザ認証部２９を含む。
【００２８】
端末装置ストック部２１は、図３に示されるように、端末装置１を１台以上接続できるストック領域を有し、該ストック領域の底面や側面等に、端末装置１との接続手段（図１６参照）を備えている。接続手段は、例えば端末装置１に電力を供給する充電コネクタと、端末装置１にデータを書き込むためのデータコネクタとを備える。この場合、端末装置１が接続手段に接続されると、接触センサ等である検知部（図１６参照）が当該接続を検知し、充電部２１が充電コネクタを介して端末装置１のバッテリ１１へ充電を開始する。また、データ書込部２１がデータコネクタを介してデータの書き込みを開始する。また、接続手段は標準化されていない特殊な形状の充電コネクタやデータコネクタを備えていても良い。この場合、端末装置１は、該特殊形状に係合するように形成されたコネクタ差込口を備えていても良い。このようにすることで、端末装置１が端末装置ストック部２１の接続手段に接続されない限り、端末装置１への充電やデータの書き込みを行なうことが出来ないように端末装置１を構成することができる。また、接続手段は、充電コネクタの代わりに、無線充電を行なうように構成されていても良い。接続手段を上記のように構成することにより、端末装置１が端末装置ストック部２１と接続された場合にのみ、端末装置１への充電やデータの書き込みが可能となる。
【００２９】
また、端末装置ストック部２１は、端末装置１が接続手段と接続されたことを検知部が検知した場合に、ロックをかけて端末装置１が取り外せないようにしても良い。該ロックを解除するためには、後述するユーザ認証部２９等によってユーザが認証を行なうようにしても良い。
【００３０】
充電部２２は、端末装置ストック部２１に端末装置１が接続されると、端末装置１のバッテリ１１への充電を開始する。充電部２２は、例えば、上述の通り、検知部が端末装置１と接続手段との接続を検知した場合に、接続手段を介して端末装置１のバッテリ１１への充電を開始しても良い。
【００３１】
また、充電部２２は、ＰＣ３等から端末装置１へのデータの書込指示があった場合にのみ端末装置１への充電を開始しても良い。すなわち、端末装置１が端末装置ストック部２１と接続されただけでは端末装置１への充電は開始されず、ＰＣ３等から端末装置１へのデータ書込指示をトリガーとして、充電部２２が端末装置１への充電を開始しても良い。
【００３２】
データ変換部２３は、端末装置１の表示部１４にデータを表示するために、ＰＣ３から取得したデータのファーマットをＥＰＵＢ（Electronic Publication）などの所定フォーマットに変換する機能を有する。ただし、フォーマットは特段制限されない。
【００３３】
データ書込部２４は、データ変換部２３によって変換されたフォーマットのデータを端末装置１に書き込む機能を有する。上述の通り、充電部２２は、例えば、接続手段と、端末装置１とが接続されたことを検知部が検知した場合に前記バッテリへの充電を開始するが、データ書込部２４は、当該充電の開始後にデータの書き込み処理を行なう。なお、ユーザが端末装置１のバッテリを充分使い切る前に端末装置ストック部２１に端末装置１を接続する場合があるが、このような場合には、データ書込部２４は、充電の開始前にデータの書き込み処理を行っても良い。また、データ書込部２４は、接続手段と端末装置１とが接続されていることを検知部が検知したことをトリガーとしてデータの書き込みを行なっても良い。
【００３４】
また、データ書込部２４は、ユーザ識別情報と、端末装置識別情報とを対応付け、後述するユーザ情報テーブル（図５）を参照し、当該端末装置識別情報によって識別される端末装置１に、当該ユーザ識別情報と対応する書込予定データを書き込む。
【００３５】
また、情報処理装置２が複合機等である場合には、現状の印刷装置と同様に、データ書込部２４がデータをシリアルに端末装置１に書き込んでも良い。すなわち、データ書込部２４は、書込予定データを書き込む際に、書込予定データを１つずつユーザ情報テーブルから取得して、端末装置１に順次書き込んでも良い。この場合、情報処理装置２は現状の印刷装置を流用して実現することもできる。また、データ書込部２４は、同一の書込予定データが複数のユーザ識別情報に対応している場合には、当該書込予定データを、当該ユーザ識別情報の各々と対応している端末装置識別情報をもつ端末装置１に同時に書き込んでも良い。例えば、図５を例にすると、書込予定データＡはユーザ識別情報Ｕ１にだけ対応しているが、書込予定データＢは、ユーザ識別情報Ｕ１とＵ２とに対応している。そこで、データ書込部２４は、書込予定データＢを端末装置１に書き込む際に、図８に示すように、ユーザ識別情報Ｕ１に対応する端末装置識別情報の端末装置１と、ユーザ識別情報Ｕ２に対応する端末装置識別情報の端末装置１とに同時に書込予定データＢの書き込みを開始しても良い。なお、書込予定データは必ずしも同時に書き込まれる必要はなく、書込時間の少なくとも一部が重なるようにデータ書込部２４が書込予定データを書き込んでも良い。例えば、書込予定データＣはユーザ識別情報Ｕ１とＵ３とに対応しているので、データ書込み部２４は、図８に示すように、ユーザ識別情報Ｕ１に対応する端末装置識別情報の端末装置１と、ユーザ識別情報Ｕ３に対応する端末装置識別情報の端末装置１とに、重なり時間を持つように書込予定データＣを書き込んでも良い。
【００３６】
データ読出部２５は、端末装置ストック部２１に接続された端末装置１に書き込まれたデータを読み出し、ＰＣ３や不図示のサーバ装置等に該データを転送する機能を有する。上述のように、表示部１４がタッチパネル等である場合、ユーザが新たに揮発性メモリ１２に書き込んだデータが存在しうる。データ読出部２５は、このような揮発性メモリ１２に書き込まれたデータを読出してＰＣ３等に送信する。例えば、データ読出部２５は、端末装置１の不揮発性メモリに記憶された端末装置識別情報を取得し、後述する図６の端末装置・ユーザ対応テーブルを参照して、取得した端末装置識別情報と対応するユーザ識別情報に対応付けられたＰＣ３等にデータを転送することが可能である。
【００３７】
端末装置情報取得部２６は、端末装置ストック部２１に接続された端末装置１から、端末装置１の端末装置識別情報や、端末装置１の充電量等の情報を取得する機能を有する。端末装置情報取得部２６は、例えば、端末装置１のバッテリ１１の電圧や温度等のパラメタを取得することによって、既存の方法によりバッテリ１１の充電量を把握することが可能である。
【００３８】
記憶部２７は、図５に示されるユーザ情報テーブルを格納している。ユーザ情報テーブルは、ユーザ識別情報と、書込予定データとを対応付けて格納する。ユーザ識別情報とは、ユーザを識別するための情報であり、例えば、ユーザが保持する社員証などに記憶されている社員番号やＩＤ（IDentification）等であっても良いし、該ユーザが使用するＰＣ３等を識別する識別情報等であっても良い。書込予定データとは、端末装置１に書き込まれる予定のデータである。ユーザ情報テーブルは例えば以下のように作成される。例えば、ユーザが、書込予定データを予めＰＣ３等に入力しておき、該ＰＣ３等が該データとユーザ識別情報とを情報処理装置２へ送信し、制御部２８等がこれらを対応付けてユーザ情報テーブルに格納することによってユーザ情報テーブルが作成される。あるいは、制御部２８等が後述する図９のスケジュールテーブルと図１０のイベント情報テーブルとを参照し、ユーザ識別情報と書込予定データとを対応付けることによってユーザ情報テーブルが作成されても良い。
【００３９】
また、記憶部２７は、図６に示される端末装置・ユーザ対応テーブルを格納している。端末装置・ユーザ対応テーブルは、端末装置識別情報とユーザ識別情報とを対応付けて格納している。端末装置・ユーザ対応テーブルは、例えば予め管理者等によって作成されても良い。すなわち、管理者等は、予め、端末装置識別情報とユーザ識別情報とを対応付けて端末装置・ユーザ対応テーブルに格納しておいても良い。この場合、ユーザごとに使用される端末装置１が予め対応付けられている。また、端末装置・ユーザ対応テーブルは、以下のように作成されても良い。例えば、端末装置情報取得部２６は、接続手段を介して情報処理装置２と接続された端末装置１から端末装置識別情報を取得する。また、制御部２８は、図５のユーザ情報テーブルからユーザ識別情報を取得する。次に、データ書込部２４は、取得した端末装置識別情報とユーザ識別情報とを対応付ける。対応付けの方法は特段制限されないが、データ書込部２４は、例えば、ランダムに端末装置識別情報とユーザ識別情報とを対応付けても良い。あるいは、端末装置情報取得部２６が、接続手段を介して接続された端末装置１からバッテリ１１の充電量を取得し、データ書込部２４は、該充電量を基に、所定充電量以上のバッテリ１１を備える端末装置１とユーザ識別情報とを対応付けても良い。所定充電量とは、例えば、バッテリ１１の最大充電量であっても良く、この場合、データ書込部２４は、バッテリ１１の充電が終了した端末装置１の端末装置識別情報とユーザ識別情報とを対応付けることになる。
【００４０】
制御部２８は、情報処理装置２の全体を制御し、記録媒体（不図示）からメモリ（不図示）にプログラムやデータを読み出して各種の処理を実行する機能を有する。
【００４１】
ユーザ認証部２９は、ユーザを認証して、該ユーザのユーザ識別情報と対応付けられた端末装置識別情報をもつ端末装置１を該ユーザに利用可能とさせるための認証手段である。ユーザ認証部２９は、例えばＲＦＩＤ（Radio Frequency IDentification）リーダであり、ユーザの有する社員証などのＲＦＩＤカード等からユーザ識別情報を取得する機能を備える。また、ユーザ認証部２９がユーザから取得したユーザ識別情報と対応付けられた端末装置識別情報をもつ端末装置１が端末装置ストック部２１に存在する場合に、該端末装置１を該ユーザに使用可能とする機能を備えていても良い。例えば、上述のように端末装置ストック部２１のロックにより該端末装置１が取り外せないように構成されている場合には、ユーザ認証部２９はロックを解除して端末装置１を接続手段から取り外し可能とする機能を備えていても良い。なお、ユーザ認証の方法は様々な方法が知られており、ＲＦＩＤを用いた認証に限定されない。
【００４２】
次に、情報処理装置２が、端末装置１にデータを書き込む動作について図７を用いて説明する。
【００４３】
まず、ＰＣ３はユーザ識別情報と書込予定データとを情報処理装置２に送信する（ステップＳ１１）。ＰＣ３は複数あり、各々のＰＣ３がこれらの情報を情報処理装置２へ送信しても良い。情報処理装置２がユーザ識別情報と書込予定データとを受信すると、制御部２８はユーザ識別情報と書込予定データとを対応付けて図５のようにユーザ情報テーブルに格納する（ステップＳ１２）。
【００４４】
次に、端末情報取得部２６は、接続手段を介して情報処理装置２と接続されている端末装置１から端末装置識別情報を取得し、データ書込部２４が当該端末装置識別情報とユーザ識別情報とを対応付ける（ステップＳ１３）。この対応付けられた情報は、例えば図６のように端末装置・ユーザ対応テーブルに格納される。
【００４５】
次に、データ書込部２４は、端末装置・ユーザ対応テーブルを参照し、ユーザ識別情報と対応付けられた端末装置識別情報をもつ端末装置１に、ユーザ情報テーブルに格納されたユーザ識別情報と対応する書込予定データを書き込む（ステップＳ１４）。
【００４６】
以上の構成によれば、ユーザごとに対応付けられた端末装置１にユーザの所望するデータを書き込むことができる情報処理装置２が提供される。本実施の形態によれば、ユーザは該端末装置１を持ち運ぶだけで良いため、持ち運び等に便利であり、ユーザの利便性を高めることができる。
【００４７】
また、上述のように、データ書込部２４が同一の書込予定データを複数の端末装置１に書き込む場合には、データの書き込み時間が重なるようにデータを書き込むことで、通常の印刷機等が紙資料に印字するよりも短い時間で端末装置１が使用可能になる。そのため、本実施の形態によれば、ユーザ等の利便性を高めることのできる情報処理装置２を提供することができる。
【００４８】
＜実施形態２＞
次に、本発明の第２の実施の形態について説明する。
【００４９】
本実施の形態における記憶部２７は、図９に示されるスケジュールテーブルを格納している。スケジュールテーブルは、ユーザ識別情報ごとに、時間情報とイベントとを対応付けて記憶している。時間情報とは、例えば、イベントが開始される時刻（開始時刻）とイベントが終了する時刻（終了時刻）とを示す情報である。イベントとは、会議等の名前など、イベントを識別するための情報である。情報処理装置２は、ユーザからＰＣ３等を介して時間情報とイベントとを取得し、スケジュールテーブルに記憶する。なお、スケジュールテーブルは、外部装置等にユーザ等が予め登録しておいても良く、情報処理装置２は該外部装置等からスケジュールテーブルを取得しても良い。
【００５０】
また、記憶部２７は、図１０のイベント情報テーブルを格納している。イベント情報テーブルは、イベントと、イベント時にユーザに使用されるデータである書込予定データとを対応付けて記憶している。情報処理装置２は、ユーザからＰＣ３等を介してイベントと書込予定データとを取得し、イベント情報テーブルに記憶する。なお、イベント情報テーブルは、外部装置等にユーザや管理者等が予め登録しておいても良く、情報処理装置２は該外部装置等からイベント情報テーブルを取得しても良い。
【００５１】
このように、記憶部２７は、スケジュールテーブルとイベント情報テーブルによって、ユーザ識別情報ごとに、時間情報と、書込予定データとを対応付けて記憶している。なお、記憶部２７は、スケジュールテーブルとイベント情報テーブルとを介することなく、直接、ユーザ識別情報ごとに、時間情報と、書込予定データとを対応付けて記憶するテーブルを格納していても良い。すなわち、情報処理装置２は、ユーザや外部装置等からユーザ識別情報と、時間情報と、書込予定データとを取得して、ユーザ識別情報ごとに、時間情報と、書込予定データとを直接対応付けて記憶部２７に記憶しても良い。
【００５２】
本実施の形態におけるデータ書込部２４は、ＰＣ３等から時間情報を取得し、記憶部２７を参照して、該時間情報が示す時間内に開始時刻と終了時刻とが含まれる時間情報と対応付けられた書込予定データを抽出し、該書込予定データを端末装置１に書き込む。例えば、ユーザはＰＣ３に時間情報を入力する。ユーザは、例えば、時間情報として、第１の時刻（例えば、データ書込開始時刻、イベント開始時刻、現在時刻、それらの近辺の時刻等）と第２の時刻（例えば、イベント終了時刻やその近辺の時刻等）とをＰＣ３に入力する。ＰＣ３は、該第１の時刻と第２の時刻をユーザ識別情報とともに情報処理装置２に送信する。
【００５３】
次に、制御部２８は、ユーザが入力した第１の時刻と第２の時刻との間に開始時刻と終了時刻が含まれるイベントを特定する。例えば、ユーザ識別情報Ｕ１を送信したＰＣ３から、第１の時刻として10:30、第２の時刻として11:40という情報が送信された場合、制御部２８は、スケジュールテーブルを参照して、ユーザ識別情報がＵ１で、10:30と11:40との間に開始時刻と終了時刻が含まれるイベントを特定する。この例では、会議βが当該イベントに相当する。
【００５４】
次に、データ書込部２４は、イベント情報テーブルを参照して、会議βに対応する書込予定データＢを抽出し、ユーザ識別情報Ｕ１と対応付けられた端末装置識別情報をもつ端末装置１に書込予定データＢを書き込む。
【００５５】
なお、ユーザは時間情報として、例えば、イベントの終了時刻と現在時刻との差を計算してその時間を直接ＰＣ３等に入力しても良い。この場合、情報処理装置２は、現在時刻から、取得した時間が経過する時刻までの間に開始時刻と終了時刻が含まれるイベントを特定して、該イベントに対応する書込予定データを端末装置１に書き込んでも良い。
【００５６】
また、データ書込部２４は、端末装置１に書き込む書込予定データとして、ＰＣ３等から取得した時間情報が示す時間内に開始時刻または終了時刻の少なくともいずれかが含まれるイベントに対応する書込予定データを抽出して端末装置１に書き込んでも良い。例えば、上述の例では、会議βの他に、第１の時刻10:30と第２の時刻11:40との間に終了時刻が含まれる会議αに対応する書込予定データＡと、第１の時刻10:30と第２の時刻11:40との間に開始時刻が含まれる会議γに対応する書込予定データＣも、データ書込部２４は端末装置１に書き込んでも良い。
【００５７】
なお、第１の時刻が現在時刻の場合、情報処理装置２が内部または外部の時計等から現在時刻を直接取得することが可能であるため、ユーザは現在時刻をＰＣ３に入力しなくても良い。
【００５８】
本実施の形態によれば、記憶部２７が、ユーザ識別情報ごとに、書込予定データと、開始時刻と終了時刻とを含む時間情報とを対応付けて格納しているため、データ書込部２４は、外部から時間情報を取得し、当該時間情報が示す時間内に開始時刻または終了時刻が含まれる時間情報と対応付けられた書込予定データを端末装置１に書き込むことができる。これにより、本実施の形態によれば、ユーザは時間を指定するだけで、該時間に開催されるイベントで使用するデータを自分のユーザ識別情報と対応する端末装置１に書き込むことができる。
【００５９】
＜実施形態３＞
次に、本発明の第３の実施の形態について説明する。
【００６０】
本実施の形態における記憶部２７は、第２の実施の形態で説明した記憶部２７と比べ、さらに以下の情報を格納している。
【００６１】
記憶部２７は、図１１に示される時間・充電量対応テーブルを格納している。時間・充電量対応テーブルは、端末装置１のバッテリ１１がメモリ１２へ給電する時間（寿命時間）と、当該寿命時間を実現するための充電量（例えばアンペア時やワット時など）とを対応付けて記憶する。該充電量は、例えば、表示部１４等の消費電流やバッテリ１１の容量等を基に、管理者等が予め測定した関係式等に基づいて決定される。時間・充電量対応テーブルは予め管理者等によって記憶部２７に格納されている。
【００６２】
また、本実施の形態における充電部２２は、データ書込部２４が端末装置１へ書き込む書込予定データと対応付けられた時間情報に応じて充電量を決定して、該充電量分だけの充電を端末装置１のバッテリ１１へ行なう。
【００６３】
本実施の形態の動作について図１２を用いて説明する。図１２に示すように、ユーザはＰＣ３等を介してユーザ識別情報、書込予定データ、時間情報を情報処理装置２に送信する（ステップＳ２１）。また、情報処理装置２は、これらの情報を対応付けて、例えば、上述したスケジュールテーブル、イベント情報テーブルとして記憶する（ステップＳ２２）。なお、実施形態２で説明したように、ユーザは予め別の外部装置が格納するスケジュールテーブルに予定を入力しておき、情報処理装置２が該外部装置からユーザ識別情報に対応する時間情報とイベントとを取得しても良い。また、予めイベント情報テーブルが別の外部装置に格納されていれば、情報処理装置２が該外部装置からイベントと書込予定データとを取得しても良い。このようにして、情報処理装置２は、ユーザ識別情報ごとに、時間情報と書込予定データとを対応付けて記憶する。ここまでの処理は、実施形態２と同様である。
【００６４】
次に、ユーザは、ＰＣ３等を介して情報処理装置２に時間情報を送信する（ステップＳ２３）。この時間情報は、例えば、実施形態２で説明した第１の時刻と第２の時刻である。
【００６５】
情報処理装置２が該時間情報を取得すると、制御部２８は、スケジュールテーブルを参照して、該時間情報が示す時間内に開始時刻と終了時刻とが含まれるイベントを特定し、該イベントの時間情報に基づいて時間を算出する。例えば、ユーザ識別情報Ｕ１のＰＣ３から、第１の時刻として10:30、第２の時刻として11:40という情報が情報処理装置２へ送信された場合、制御部２８は、スケジュールテーブルを参照して、10:30と11:40との間に開始時刻と終了時刻が含まれるイベント（会議β）を特定する。本例の場合、会議βの時間情報が示す時間は11:00〜11:30であるから、制御部２８は終了時刻と開始時刻の差分である３０分を算出する。次に、制御部２８は、時間・充電量対応テーブルを参照し、該時間に対応する充電量を決定し、充電部２２は、該充電量分だけ端末装置１のバッテリ１１に充電を行う（ステップＳ２４）。上述の例では、充電部２２は、３０分に対応する充電量の充電をバッテリ１１に行なう。
【００６６】
次に、データ書込部２４は、ユーザ識別情報と対応付けられた端末装置１に、イベントに対応する書込予定データを書き込む。上述の例では、データ書込部２４は、会議βに対応する書込予定データＢを、ユーザ識別情報Ｕ１と対応付けられた端末識別情報をもつ端末装置１に書き込む。つまり、データ書込部２４は、書込予定データを、ユーザ識別情報と対応付けられた端末識別情報をもつ端末装置１に書き込む（ステップＳ２５）。
【００６７】
このようにすることで、充電部２２は、データ書込部２４が端末装置１へ書き込む書込予定データと対応付けられた時間情報に応じて充電量を決定し、該充電量分だけの充電を端末装置１のバッテリ１１へ行なうことができる。なお、上述のステップＳ２４では、充電部２２が充電を行なう時刻をイベントが開始する時刻の直前とすることを想定しているため、制御部２８はイベントの開催時間である３０分を算出した。しかし、充電部２２が現在時刻から充電を行なう場合には、制御部２８は、現在時刻からイベント開始時刻までの時間を足した時間を算出しても良い。あるいは、充電部２２がイベント開始時刻の所定時間前から充電を行なう場合、制御部２８は、該所定時間分を足した時間を算出しても良い。また、制御部２８は、情報処理装置２の外部（ＰＣ３等）から取得した時間情報が示す時間を基に時間・充電量対応テーブルを参照して充電量を決定しても良い。
【００６８】
なお、上述の説明では、情報処理装置２がステップＳ２３でユーザから時間情報を取得したが、データ書込部２４がスケジュールテーブルに格納されている全てのイベントについて該イベントに対応する書込予定データを端末装置１に書き込む場合には、ステップＳ２３は無くても良い。
【００６９】
本実施の形態の具体的な他の実施例を説明する。まず、情報処理装置２は、ユーザ識別情報ごとに、時間情報と書込予定データを対応付けて記憶する。これは、上述のように、例えば、情報処理装置２が、ＰＣ３や外部装置等から、図９のスケジュールテーブル、図１０のイベント情報テーブルに格納されたデータに相当する情報を取得することによって行なわれる。
【００７０】
次に、ユーザ（以下では、該ユーザのユーザ識別情報がＵ１であるとする。）は、ＰＣ３に、例えば、第１の時刻として現在時刻9:40を入力し、第２の時刻として11:30を入力する。ＰＣ３は、該時間情報をユーザ識別情報Ｕ１とともに情報処理装置２へ送信する。
【００７１】
該時間情報を取得した情報処理装置２は、スケジュールテーブルを参照し、ユーザ識別情報がＵ１で、時刻9:40から時刻11:30までの間に開始時刻と終了時刻が含まれるイベントを検索する。本例では、会議αと会議βが該イベントに相当する。次に情報処理装置２は、会議αと会議βの開催時間を計算する。本例では、会議αが10:00から11:00までであり、会議βが11:00から11:30までであるから、該時間は１時間３０分である。次に、情報処理装置２は、時間・充電量対応テーブルを参照し、１時間３０分に対応する充電量を決定する。
【００７２】
次に、充電部２２は、ユーザ識別情報Ｕ１と対応付けられた端末装置識別情報をもつ端末装置１に、決定された充電量分の充電を行う。そして、データ書込部２４は、イベント情報テーブルを参照して、会議αと会議βに対応する書込予定データを該端末装置１に書き込む。
【００７３】
このようにすることで、ユーザが参加するイベントの開催時間分だけバッテリ１１が駆動するようにバッテリ１１への充電がなされるため、端末装置１の不正使用を防止することができる。なお、イベント終了前にバッテリ１１が切れるのを防止するため、情報処理装置２は、現在時刻からイベント開始時刻までの時間を足した時間を基に充電量を決定して、その充電量分の充電を行なっても良い。また、充電部２２が充電を行なう時刻をイベントが開始する時刻の直前としても良い。また、制御部２８は、情報処理装置２の外部（ＰＣ３等）から取得した時間情報が示す時間を基に時間・充電量対応テーブルを参照して充電量を決定しても良い。また、データ書込部２４が、スケジュールテーブルに格納されている全てのイベントについて該イベントに対応する書込予定データを端末装置１に書き込む場合には、ユーザは時間情報を指定する必要は無い。例えば、上述の例では、充電部２２がスケジュールテーブルを参照し、ユーザ識別情報Ｕ１に対応付けられた端末装置１に、全イベントの開催時間である２時間（10:00〜12:00までの会議α、β、γの開催時間）に対応する充電量を充電しても良い。なお、情報処理装置２は、イベントが開始される時刻の直前までは、端末装置１を端末装置ストック部２１から取り出すことができないように接続手段等にロックをかけることで、不正使用を防止しても良い。
【００７４】
このような構成によれば、ユーザが端末装置１を使用する時間分だけ駆動するようにバッテリ１１の充電を行うことができる。特に、実施形態１で説明したように、端末装置１のメモリ１２が揮発性メモリである場合には、バッテリ１１が切れるとともにデータは消去されるため確実にデータ漏洩を防ぐことが出来る。このように、本実施の形態によれば、端末装置１の不正使用を防止することができ、管理者等にとっても利便性の高い情報処理装置２が提供される。
【００７５】
＜実施形態４＞
次に、本発明の第４の実施の形態について説明する。
【００７６】
本実施の形態では、充電量が異なる複数の端末装置１が存在することを前提とする。例えば、複数の端末装置１において、各々の端末装置１に内蔵されたバッテリ１１の最大充電可能容量が互いに等しい場合でも、バッテリ１１の充電には時間を要するため、各々の端末装置１の充電を開始した時刻が異なれば、ある時刻で測定したときの各々の端末装置１のバッテリ１１の充電量は異なりうる。また、あらかじめ最大充電可能容量の異なるバッテリ１１を内蔵する複数の端末装置１においては、各々の端末装置１に内蔵されたバッテリ１１の充電量は異なりうる。また、上述した第１の所定時間や第２の所定時間が異なるバッテリ１１をもつ端末装置１が存在しうる。このように、充電量の異なる複数の端末装置１が存在することを前提とする。
【００７７】
上述の実施の形態では、データ書込部２４が、ユーザ識別情報を、端末装置１の端末装置識別情報とランダムに対応付けた。あるいは、データ書込部２４が、ユーザ識別情報を、所定充電量以上のバッテリ１１を内蔵する端末装置１の端末装置識別子と対応付けた。一方、本実施の形態では、ユーザ識別情報と、スケジュールテーブルに格納された当該ユーザ識別情報と対応づけられたイベントの時間の長さに応じて決定される充電量のバッテリ１１を備える端末装置１の端末情報識別情報と、を対応付ける。なお、スケジュールテーブルに格納されたユーザ識別情報と対応づけられたイベントの時間とは、図９に示すように、例えばユーザ識別情報Ｕ１の場合には、Ｕ１に対応する時間情報10:00〜11:00、11:00〜11:30、11:30〜12:00の総時間の全部または一部、すなわち、10:00〜12:00までの２時間以内の時間である。例えば、ユーザ識別情報Ｕ１に対応する時間情報は、10:00〜12:00までの２時間であっても良いし、その一部である10:00〜11:00の１時間であっても良い。
【００７８】
本実施の形態における記憶部２７は、上述のテーブルに加えて、図１３に示す端末装置・充電量対応テーブルを格納している。端末装置・充電量対応テーブルは、端末装置情報取得部２６が端末装置ストック部２１に接続された端末装置１から取得した、端末装置１の端末装置識別情報と、端末装置１の充電量とを対応付けて記憶している。
【００７９】
図１４を用いて、本実施の形態の動作について説明する。まず、情報処理装置２の端末装置情報取得部２６は、接続手段に接続されている複数の端末装置１から、各々の端末装置１の充電量を取得する（ステップＳ３１）。取得された充電量は、端末装置・充電量対応テーブルに格納される。
【００８０】
次に、制御部２８は、ユーザ識別情報と対応づけられた時間情報に基づいて、時間・充電量対応テーブルと、端末装置・充電量対応テーブルとを参照し、端末装置識別情報とユーザ識別情報を対応付ける（ステップＳ３２）。具体的には、制御部２８は、スケジュールテーブルを参照し、各ユーザ識別情報ごとに、時間情報の欄に記載された時間を算出する。例えば、図９のスケジュールテーブルによれば、ユーザ識別情報Ｕ１には10:00〜12:00までの間、会議α、β、γのイベントが対応付けられている。そこで、制御部２８は、時間情報欄に記載された時間である２時間を算出する。そして、制御部２８は、時間・充電量対応テーブルを参照して、算出した時間である２時間の間バッテリ１１が給電可能な充電量を決定する。なお、ここではユーザ識別情報Ｕ１に対応する時間情報は、ユーザ識別情報Ｕ１に対応する全イベントの開催時間である２時間としたが、ユーザがそのうちの一部の時間を指定することも出来る。例えば、ユーザ識別情報Ｕ１のユーザが会議αのみに参加する場合などには、該ユーザがＰＣ３等を介して10:00〜11:00までの時間を指定しても良い。その場合、制御部２８は、10:00〜11:00までの１時間を算出して、該１時間に対応する充電量を決定する。すなわち、実施形態３で説明したように、情報処理装置２は、ユーザからＰＣ３等を介して時間情報を取得し、該時間情報が示す時間内にイベントの開始時刻または終了時刻が含まれるイベントの開催時間によって充電量を決定しても良い。
【００８１】
次に、制御部２８は、端末装置・充電量対応テーブルを参照して、決定された充電量が充電されているバッテリ１１を備える端末装置１の端末装置識別情報を特定し、データ書込部２４は、該端末装置識別情報とユーザ識別情報とを対応付ける。
【００８２】
そして、データ書込部２４は、書込予定データを、ユーザ識別情報と対応付けられた端末装置識別情報をもつ端末装置１に書き込む（ステップＳ３３）。具体的には、上述の例では、スケジュールテーブルに格納されたユーザ識別情報Ｕ１と対応するイベントは会議α、β、γであるから、データ書込部２４は、イベント情報テーブルを参照して、書込予定データＡ、Ｂ、Ｃを端末装置１に書き込む。なお、上述のようにユーザが10:00〜11:00までの時間を指定している場合には、この時間におけるイベントは会議αであるから、データ書込部２４は、書込予定データＡを端末装置１に書き込む。
【００８３】
本実施の形態によれば、端末装置識別情報とユーザ識別情報とを対応付ける際に、ユーザのスケジュールを参照して対応付ける端末装置識別情報を決定することが出来る。そのため、本実施の形態によれば、ユーザが端末装置１を使用する時間に応じて、適切な充電量のバッテリ１１を備える端末装置１をユーザに割り当てることができる。
【００８４】
＜実施形態５＞
次に、本発明の第５の実施の形態について説明する。
【００８５】
本実施の形態における情報処理装置２は、図１５に示すように、データ書込部２４、第１の記憶部２１０、第２の記憶部２１１を備える。これらの記憶部は、例えば、記憶部２７に含まれる。第１の記憶部は、上述したユーザ情報テーブルに相当し、第２の記憶部は、上述した端末装置・ユーザ対応テーブルに相当する。ユーザ情報テーブルと端末装置・ユーザ対応テーブルとは、一つのテーブルとして作成されても良い。データ書込部２４は、接続手段を介して接続された端末装置の端末装置識別情報に基づいて、第１の記憶部、第２の記憶部を参照し、ユーザ識別情報と対応する書込予定データを端末装置に書き込む。
【００８６】
上記構成によれば、ユーザごとに対応付けられた端末装置１にユーザの所望するデータを書き込むことができる情報処理装置２が提供される。本実施の形態によれば、ユーザは該端末装置１を持ち運ぶだけで良いため、持ち運び等に便利であり、ユーザの利便性を高めることができる。
【００８７】
以上、実施形態を参照して本願発明を説明したが、本願発明は上記実施形態に限定されるものではない。本願発明の構成や詳細には、本願発明のスコープ内で当業者が理解しうる様々な変更をすることができる。
【符号の説明】
【００８８】
１      端末装置
１１    バッテリ
１２    揮発性メモリ
１３    制御部
１４    表示部
２      情報処理装置
２１    端末装置ストック部
２２    充電部
２３    データ変換部
２４    データ書込部
２５    データ読出部
２６    端末装置情報取得部
２７    記憶部
２８    制御部
【図１】
0005408191.tif 000002
【図２】
0005408191.tif 000003
【図３】
0005408191.tif 000004
【図４】
0005408191.tif 000005
【図５】
0005408191.tif 000006
【図６】
0005408191.tif 000007
【図７】
0005408191.tif 000008
【図８】
0005408191.tif 000009
【図９】
0005408191.tif 000010
【図１０】
0005408191.tif 000011
【図１１】
0005408191.tif 000012
【図１２】
0005408191.tif 000013
【図１３】
0005408191.tif 000014
【図１４】
0005408191.tif 000015
【図１５】
0005408191.tif 000016
【図１６】
0005408191.tif 000017